(57)【要約】      （修正有）【課題】高い剛性接続をもたらすスクリュー挿入システムを提供する。【解決手段】スクリュー挿入システムは、ネジ軸部２５及び頭部を有するスクリュー１２を備える。頭部は、円錐状テーパ付き外面を有する。このテーパは、頭部の自由端から頭部とネジ軸部２５との間の接続部に隣接する大径に向かって、スクリューの長手方向中心軸からの距離が増大するテーパである。円錐状テーパ付き頭部外面は、好ましくは、２つの螺旋状に延在する部分的に丸められたネジ条を有する。頭部は、ドライバに係合するための駆動要素を有する。管状スクリューホルダーは、外面と、先端と後端との間に延在するスクリューを受け入れるための内部孔とを有する。先端は、スクリュー頭部の円錐状テーパ付き雄ネジ条に係合するための円錐状テーパ付き雌ネジ部分を有する。管状スクリューホルダーの外面は、円錐状テーパ付き頭部の最大直径よりも小さいか又は等しい直径を有する。【選択図】図１
2018118037.tif 000002
【特許請求の範囲】
【請求項１】
スクリュー挿入システムであって、
ネジ軸部を有する先端、および、後端の頭部を有し、前記頭部は、自由端における第１の直径及び前記ネジ軸部に接続された端における第２の直径を有し、前記第１の直径は前記第２の直径よりも小さく、前記第１の端から前記第２の端に延在する複数の雄ネジ条を備える外面を有し、かつ、前記自由端に開いた前記第１の直径内に位置する駆動要素を有する、スクリューと、
後端と先端を有する貫通孔を有し、前記先端の内面はネジ条部分を有し、前記ネジ条部分は、前記後端側における第１の直径と前記先端における第２の直径を有し、前記第２の直径は前記第１の直径よりも大きく、前記第２の直径は前記スクリューの前記頭部の前記第２の直径と略等しい、スクリューホルダーと、
管状の前記スクリューホルダーを貫通し、前記スクリューの前記頭部の前記駆動要素に係合可能なドライバと、
を備える、スクリュー挿入システム。
【請求項２】
前記スクリューは、前記頭部の前記第１及び第２の直径間に円錐状外形を有し、前記スクリューホルダーの前記内面のネジ条部分は、適合する円錐形状を有する、請求項１に記載のスクリュー挿入システム。
【請求項３】
前記スクリューは、前記頭部の前記第１及び第２の直径間に部分球外形を有する、請求項１に記載のスクリュー挿入システム。
【請求項４】
前記頭部の前記雄ネジ条及び前記スクリューホルダーの前記雌ネジ条は、少なくとも部分的に丸られたネジ条である、請求項１に記載のスクリュー挿入システム。
【請求項５】
前記少なくとも部分的に丸められたネジ条は、丸められた谷及び平坦な頂を有する、請求項４に記載のスクリュー挿入システム。
【請求項６】
前記頭部の前記ネジ条及び前記スクリューホルダーの前記ネジ条は、左回りネジ条である、請求項４に記載のスクリュー挿入システム。
【請求項７】
前記ドライバは、前記スクリューホルダーの孔内に摺動可能に受け入れられる外径を有する、請求項１に記載のスクリュー挿入システム。
【請求項８】
前記スクリューホルダーの外径は、前記頭部の前記第２の直径以下である、請求項１に記載のスクリュー挿入システム。
【請求項９】
前記スクリューの前記駆動要素は、インターナルヘックス駆動部である、請求項１に記載のスクリュー挿入システム。
【請求項１０】
前記円錐状外形は、約２０°の開放角を有する、請求項２に記載のスクリュー挿入システム。
【請求項１１】
スクリュー挿入システムであって、
ネジ軸部と前記ネジ軸部に接続された頭部とを有し、前記頭部は、円錐状テーパ付き外面を有し、前記テーパは、前記頭部の自由端から前記頭部と前記ネジ軸部との間の接続部に隣接する大径に向かって長手方向中心軸からの距離が増大するテーパであり、前記円錐状テーパ付き頭部外面は、少なくとも２つの螺旋状に延在する部分的に丸められたネジ条を有し、前記頭部は前記自由端に開いた凹状駆動要素を有する、スクリューと、
外面と、先端と後端との間に延在する前記スクリューを受け入れるための内部孔とを有し、前記先端は、前記頭部の前記円錐状テーパ付き雄ネジ条に係合するための円錐状テーパ付き雌ネジ条部分を有し、前記外面は、前記円錐状テーパ付き前記頭部の最大径よりも小さいか又は等しい直径を有する、管状スクリューホルダーと、
を備える、スクリュー挿入システム。
【請求項１２】
前記スクリューの前記凹状駆動要素に係合すべく前記管状スクリューホルダー内の基部を貫通するドライバをさらに備える、請求項１１に記載のスクリュー挿入システム。
【請求項１３】
前記頭部の前記ネジ条及び前記スクリューホルダーの前記ネジ条は、左回りネジ条である、請求項１１に記載のスクリュー挿入システム。
【請求項１４】
前記スクリューの前記駆動要素は、インターナルヘックス駆動部である、請求項１１に記載のスクリュー挿入システム。
【請求項１５】
前記少なくとも部分的に丸められたネジ条は、丸められた谷及び平坦な頂を有する、請求項１１に記載のスクリュー挿入システム。
【請求項１６】
前記円錐状外形は、約２０°の開放角を有する、請求項１１に記載のスクリュー挿入システム。
【請求項１７】
骨固定具であって、
先端におけるネジ軸部と、後端において前記ネジ軸部に接続された頭部と
を備え、
前記頭部は、自由端における第１の直径及び前記ネジ軸部に接続された端における第２の直径を有し、前記第２の直径は、前記骨固定具の最大直径であり、
前記第１の直径は、前記第２の直径よりも小さく、前記頭部は、前記第１及び第２の直径間に延在する外面を有し、前記頭部外面は、前記外面の周りに延在する複数のネジ条を備えている、
骨固定具。
【請求項１８】
前記頭部の各ネジ条は、湾曲したフランク及び前記湾曲したフランクの中間の湾曲した谷を有し、前記ネジ条は、前記頭部の前記外面上に、前記ネジ条を形成する互いに隣接する湾曲したフランク間に延在する平坦な頂を有する、請求項１６に記載の骨固定具。
【請求項１９】
前記ネジ軸部は、前記先端にネジ条部分を有する、請求項１７に記載の骨固定具。
【請求項２０】
前記頭部外面は、円錐形状を有する、請求項１７に記載の骨固定具。
【請求項２１】
前記円錐形状は、１８−２０°の開放角を有する、請求項２０に記載の骨固定具。
【請求項２２】
前記頭部の前記ネジ条は、左回りネジ条であり、前記ネジ軸部は、右回りネジ条を有する、請求項１７に記載の骨固定具。
【請求項２３】
前記頭部の前記ネジ条は、２条ネジ又は３条ネジである、請求項２２に記載の骨固定具。
【発明の詳細な説明】
【技術分野】
【０００１】
髄内釘固定（ＩＭ）手術中に、ロッキングスクリューの落下及び誤角形成を避けるために、ロッキングスクリューをスクリュードライバにしっかりと固定することは、（特に広い軟組織被覆領域を通る手動によるロッキングスクリュー挿入処置において）、重要である。本発明が解決を図る対象は、不十分な保持力しか受けず、曲げモーメントによって生じる撓みを受けやすい自己保持スクリュードライバである。
【０００２】
本発明のスクリューヘッド（スクリュー頭部）は、雌ネジを有する外側スリーブの適合を容易にする多数条、好ましくは、３条の雄ネジ（好ましくは、左回りの丸められたネジ）が一体化された円錐形状又は球形状を有している。外側スリーブは、該スリーブとスクリューとの間に緊密接続をもたらすスクリュードライバによって案内され、及び／又は軸方向に拘束される。円錐／球設計によって、組み立てられたスクリュー頭部及びスリーブ構造の外径は、スクリュー頭部の最大外径を超えず、使用時に既存の組織保護スリーブシステムを通過させることができる。必要なトルクは、スクリューのインターナルヘックス（六角星型穴）のみを利用して伝達される。
【０００３】
既存の解決策と比較して、本発明の設計は、あらゆる負荷条件下においてより高い剛性接続をもたらすことになる。
【発明の概要】
【０００４】
本発明は、ネジ付き頭部を備えるスクリュー、雌ネジを備える組織保護スリーブ、及びスクリュードライバを有するシステムに関する。
【０００５】
スクリューは、その遠位端にネジ軸部を有している。ネジ軸部は、釘を貫通し、髄内釘導管を覆う骨に係合するように適合された第１のネジ条を有している。スクリューの近位端において、スクリュー頭部に雄ネジ条が形成されている。この雄ネジ条は、好ましくは、スクリューの中心軸に沿った方向においてスクリュー頭部に沿って数ｍｍしか延在していない。この第２のネジ条は、第１のネジ条と異なる種類のネジ条である。何故なら、第２のネジ条は、組織保護スリーブの雌ネジ条に係合するように適合されているからである。第２の雄ネジ条と骨を囲む組織との間の刺激又は損傷のような負の相互依存を避けるために、巻条部の外形は、滑らかな接触領域をもたらすために平坦化されているか又は丸められている。
【０００６】
第２の雄ネジ条は、組織保護スリーブの雌ネジ条に接続されるように適合されている。具体的には、該スリーブは、第２のネジ条によって、スクリューの近位端に支持されている。
【０００７】
さらに、スクリューの近位端は、内駆動工具係合部を備えている。これは、スクリューが、対応する駆動端を有するドライバに連結されることを意味している。この駆動端は、六角穴であってもよいし、またはトルクス（TORX、登録商標、六角星型）であってもよい。また、ドライバは、レンチであってもよい。ドライバは、電気機構、空圧機構、又は他の適切な機構を含む動力源によって駆動されるとよいことに留意されたい。
【０００８】
第２のネジ条の外径には、第１のネジ条を備えるスクリューの遠位端に向かって頭部に沿って進むにつれてスクリューの中心軸から外方に拡がるテーパが付されている。第２のネジ条は、スクリュー軸部の外径よりも大きい直径を有している。従って、近位端の第２のネジ条と軸部の第１のネジ条との間に、段差が形成されることになる。この実施形態によれば、スクリューは、頭部の第２のネジ条と軸部の第１のネジ条との間に滑らかな接合部又は肩部をもたらすために、第２のネジ条と軸部の第１のネジ条との間に遠位側を向く環状面をさらに備えている。代替的に、この遠位側を向く面は、スクリューの遠位端の方を向く部分球面を有する部分球頭部として形成されてもよい。
【０００９】
スクリューを骨内に移植する場合、本発明によるスクリューの設置のためのセット又はシステムは、前述のスクリュー以外に、スクリューの内工具係合部分に係合するように適合された駆動工具と、スクリューの第２の雄ネジ条に係合するように適合された中空の組織保護スリーブとを備えている。
【００１０】
組織保護スリーブは、骨内へのスクリューの導入を容易にするのに適する一種の延長片である。すなわち、骨を囲む筋肉又は他の組織によって、スクリューの近位端への増強工具の直接的な取付けが困難になる。
【００１１】
スクリューの近位端（頭部）において直接係合された２つの異なる要素、すなわち、スリーブ及びドライバによって、互いに無関係な方向における力をスクリューに正確に加えることができ、これによって、スクリューを適切な部位に正確に位置決めさせることができる。ドライバによって、螺合前進（又は説明上螺合後退）させるための周方向の力がスクリューに加えられる。スリーブによって、軸方向又は半径方向の力がスクリューに加えられる。他の利点として、スクリューをスクリュードライバによって適所に保持させながら、組織保護スリーブをスクリューの近位端から緩め、かつ取り外すことができる。
【００１２】
スクリュー挿入システムは、ネジ軸部を有する先端と、後端の頭部とを有するスクリューを備えている。頭部は、自由端における第１の直径及びネジ軸部に接続された端における第２の直径を有している。第１の直径は、第２の直径よりも小さくなっている。頭部は、その第１の端から第２の端に延在する複数の雄ネジ条を備える外面を有している。頭部は、頭部の自由端に開いた第１の直径内に位置する駆動要素も有している。後端を備える貫通孔を有するスクリューホルダー又はスリーブが設けられている。スクリューホルダーの先端の内面は、ネジ条部分を有しており、該ネジ条部分は、ホルダーの後端の方に位置する第１の直径及びホルダーの先端における第２の直径を有している。第２の直径は、第１の直径よりも大きくなっており、ホルダーの第２の直径は、骨スクリュー頭部の第２の直径と略等しくなっている。スクリュードライバが、管状スクリューホルダーを貫通し、スクリュー頭部の駆動要素に係合可能になっている。
【００１３】
スクリュー頭部は、好ましくは、頭部の第１及び第２の直径間に円錐状外形を有しており、スクリューホルダー内面のネジ条部分は、適合する円錐形状を有している。スクリュー頭部は、その第１及び第２の直径間に遠位側を向く部分球外形を有していてもよい。
【００１４】
頭部の雄ネジ条及びスクリューホルダーの雌ネジ条は、好ましくは、少なくとも部分的に丸られたネジ条である。少なくとも部分的に丸められたネジ条は、丸められた谷及び平坦な頂を有している。好ましくは、頭部のネジ条及びスクリューホルダーのネジ条は、左回りネジ条である。
【００１５】
スクリュードライバは、スクリューホルダーの孔内に、好ましくは、密嵌合するように受け入れられるのに十分小さい外径を有している。好ましくは、スクリューホルダーの外径は、スクリュー頭部の第２の直径を超えないようになっており、これによって、滑らかな移行部が形成されることになる。骨スクリュー頭部の駆動要素は、内六角駆動部であってもよい。頭部の円錐状外形は、好ましくは、約２０°の開放角を有している。本発明の他の態様が、ネジ軸部とネジ軸部に接続された頭部とを有するスクリューを備えるスクリュー挿入システムによって得られる。頭部は、円錐状テーパ付き外面を有している。テーパ面は、頭部の自由端から頭部とネジ軸部との間の接続部に隣接する大径に向かって、スクリューの長手方向中心軸からの距離が増大するテーパ面である。円錐状テーパ付き頭部外面は、少なくとも２つの螺旋状に延在する部分的に丸められたネジ条を有している。スクリュー頭部は、頭部の自由端に開いた凹状駆動要素も有している。外面と、先端と後端との間に延在するスクリューを受け入れるための内部孔と、を有する管状スクリューホルダーが設けられている。先端は、スクリュー頭部の円錐状テーパ付き雄ネジ条に係合するための円錐状テーパ付き雌ネジ条部分を有している。管状スクリューホルダーの外面は、円錐状テーパ付き頭部の最大径よりも小さい直径を有している。スクリュー頭部の凹状駆動要素に係合するために管状スクリューホルダー内の基部を貫通するドライバが設けられている。好ましくは、頭部のネジ条及びスクリューホルダーのネジ条は、左回りネジ条である。
【００１６】
本発明のシステムは、骨固定具を備えている。好ましくは、骨固定具は、先端におけるネジ軸部と、後端において軸部に接続された頭部とを備えている。頭部は、自由端における第１の直径及び軸部に接続された端における第２の直径を有している。第１の直径は、第２の直径よりも小さく、頭部は、第１及び第２の直径間に延在する外面を有している。頭部外面は、外面の周りに延在する複数のネジ条を備えている。好ましくは、各ネジ条は、湾曲したフランク及び湾曲したフランクの中間の湾曲した谷を有しており、ネジ条は、頭部の外面上に、ネジ条を形成する互いに隣接する湾曲したフランク間に延在する平坦な頂を有している。
【００１７】
骨固定具の軸部は、先端にネジ条部分を有しており、頭部外面は、円錐形状を有している。頭部の円錐形状は、好ましくは、１８−２０°の開放角を有している。好ましくは、頭部のネジ条は、左回りネジ条であり、かつ２条又は３巻条ネジである。
【図面の簡単な説明】
【００１８】
【図１】骨スクリュー、組織保護スリーブ、及びスクリュードライバを示す、本発明の骨スクリュー挿入システムの断面図である。
【図１Ａ】図１に示される本発明の組織保護スリーブと、骨スクリューヘッドと、スクリュードライバとの間の連結を示す拡大図である。
【図２】図１の骨スクリューの等角図である。
【図２Ａ】図２のスクリューの側面図である。
【図３】図２の骨スクリューのネジ付き頭部を示す図である。
【図４】図２の骨スクリューの断面図である。
【図５】図２の骨スクリューの六角駆動部の拡大図である。
【図６】本発明の組織保護スリーブの断面図である。
【図７】本発明の組織保護スリーブの遠位端の拡大図である。
【図８Ａ．８Ｂ】組織保護スリーブの遠位端が骨スクリューの軸に対して撓むことができる、組織保護スリーブの代替的遠位端を示す断面図である。
【発明を実施するための形態】
【００１９】
図１を参照すると、１０によって総称的に表される本発明のスクリュー挿入システムが示されている。スクリュー挿入システムは、スクリュー１２と、スクリュー１２に接続されるスリーブ又はホルダー１４と、軸部１７を有するドライバ１６と、を備えている。好ましい実施形態では、スクリュー１２は、骨スクリューであり、スリーブ１４は、（図示されない）骨板又は骨釘内にネジ付きスクリューを挿入するために用いられる組織保護スリーブである。ドライバ１６は、標準的なスクリュー駆動部１８、例えば、六角ドライブ又はトルクスドライブを備える遠位先端を有するどのような標準的スクリュードライバであってもよい。駆動部１８は、スクリュー１２の頭部２２内のソケット又は凹部２０に係合するように適合されている。好ましくは、スクリュー１２は、ネジ条２３を有する頭部２２及びネジ軸部２５を有している。頭部３２は、組織保護スリーブ１４の遠位端における内面２４のネジ条２６に係合するように適合されている。ネジ条２３には、軸部２５の骨スクリューネジ条から近位方向に進むにつれて内方に縮小するテーパが付されている。
【００２０】
図１Ａを参照すると、組織保護スリーブ１４と、スクリュー頭部２２と、ドライバ１６と、ソケット２０との間の係合の拡大図が示されている。図１Ａから、スリーブ１４の遠位端２４は、ネジ付き内径に沿って複数のネジ条２６を備えていることが分かるだろう。遠位端２４において、内径ネジ条２６には、骨スクリュースリーブ１４の中心軸から外方に、好ましくは、円錐状に拡がるテーパが付されている。スリーブ１４の遠位端におけるネジ付き内面２４は、好ましくは、スリーブ１４の内面２６の外向きテーパ面に沿って平坦な谷領域３０及び平坦な頂３１を備えている。スクリュー頭部２２は、丸められた谷３３及び平坦な頂３５を有している。スリーブの先端の外径２７は、軸部２５に隣接して位置する頭部２２の最大ネジ条径と実質的に等しくなっている。これらの直径は、正確に等しくなくてもよいが、挿入中に周囲の組織を刺激しないようにするために、大きな段差は、避けられるべきである。
【００２１】
図２，３を参照すると、骨スクリュー１２が示されている。骨スクリュー１２は、頭部２２と、ネジ条３２を有する軸部２５とを備えている。骨スクリュー１２のネジ条３２は、骨に係合するように適合されたネジ条を含み、遠位チップ３６に隣接して自己ネジ切り特徴部３４を有していてもよいし、又は有していなくてもよい。骨スクリュー１２のネジ条３２は、骨スクリューに用いられるどのような典型的なネジ条であってもよい。移行領域３７が、頭部２２と軸部２５との間に延在している。
【００２２】
スリーブ１４は、ドライバ軸部１７の外面を受け入れる内径５２を有している。これらの面は、すべり係合を可能にする密嵌合であるとよい。
【００２３】
図３を参照すると、角度αで中心軸２８から外方に拡がるテーパが付された頭部２２の拡大図が示されている。角度αは、好ましくは、９−１０°であり、これによって、テーパが付された頭部の円錐角が１８−２０°になる。頭部２２は、ネジ条４０を備えている。ネジ条４０は、図１Ａに最もよく示されるように、好ましくは、平坦な頂３５によって分離された円弧状の谷形状３３を有している。谷３３は、例えば、０．６−０．８ｍｍの半径の円形状を有しているとよい。頂３５から谷３３の底までのネジ条の深さは、例えば、０．１４ｍｍであるとよい。これらのネジ条は、好ましくは、２条又は３条ネジであり、かつ左回りである。一方、骨スクリュー軸部のネジ条は、右回りである。図３に示されるように、頭部は、スクリューの遠位端（すなわち、チップ３６）の方を向く環状面４８を有している。
【００２４】
図４，５を参照すると、骨スクリュー軸部２５と特に頭部２２とを備える骨スクリュー１２の断面が示されている。頭部２２は、スクリュードライバ１６の駆動端１８を受け入れるための六角ソケット２０を備えている。図５は、六角ソケット２０の平坦な側面４２を示している。ソケット２０は、図示されるように、アーレンレンチ又はスクリュードライバの標準的な六角駆動部を受け入れるように適合されている。トルクスドライブ又は他の多角形ドライブが用いられてもよい。
【００２５】
図６，７を参照すると、ネジ付き遠位端２４を備える組織保護スリーブ１４が示されている。ネジ付き遠位端２４は、中心軸２８から外方に拡がるテーパが付された内径ネジ条２６を備えている。内径ネジ条２６には、スクリューネジ条２３が頭部の自由端に向かって内方に縮小するテーパと同一角度、例えば、１０°で外方に拡がるテーパが付されている。従って、スリーブの遠位開口の全体に、２０°の狭角で遠位側に進むにつれて外方に拡がるテーパが付されていることになる。スクリュー１２の頭部２２に対する係合及び離脱をより容易にするために、図１Ａに示されるように、ネジ条２６は、平坦な頂及び平坦な谷を有している。これらの頂は、円状又は円弧状のネジ条の最も深い谷領域３３に係合するように、互いに離間されている。これらのネジ条の形状によって、生じる摩擦が小さくなり、これによって、移植後に、組織保護スリーブをスクリューの頭部からより容易に離脱させることができる。
【００２６】
図３を参照すると、好ましい実施形態では、頭部２２は、図４では環状面４８として示される遠位側を向く面３７を備えている。環状面４８は、円弧部分５０によってスクリュー軸部２５に接続されているとよい。円弧部分５０は、好ましい実施形態では、凹状である。しかし、この接続部分５０は、凸状であってもよいし、軸部２５とスクリュー頭部２２との間の接合部の周囲の全体にわたる部分球状であってもよい。これは、例えば、（図示されない）骨板に移植されるとき、スクリューの多軸運動を可能にする。
【００２７】
使用時に、外科医は、スリーブ又はスクリューホルダー１４をスクリュー５２の頭部２２に、外径２７が頭部２２の最大ネジ径と同一面又は殆ど同一面になるように、螺合させる。次いで、外科医は、ドライバ１６をスリーブ１４を通してスクリュー１２の駆動部１８に挿入する。この後、スクリュー１２が骨内に挿入される。スリーブ１４は、骨スクリュー頭部２２と軸部２５とが互いに逆の左回りネジ条及び右回りネジ条を有しているによって、スリーブ１４の露出端をスクリュー回転の方向に回転させることによって、取り外すことができる。
【００２８】
スリーブは、より小さい外径（ＯＤ）、例えば、７ｍｍを有しているとよく、いつ回転を停止するかを示す表示を把持部の近くに有しているとよい。また、スリーブは、仮にスクリューが軸ずれして挿入された時でも「把持（gropping）」を可能にする長孔構造を有していてもよい。換言すれば、スリーブ１４の遠位端は、スクリュー軸がスリーブ軸に対して傾斜している時にいくらか撓むことができる。このような構造は、米国特許第６，３３７，１４２号に示されている。この文献の開示内容は、参照することによって、ここに含まれるものとする。このような構造は、図８Ａ，８Ｂに示されるように、組織保護スリーブの周囲に沿って互いに離間した複数の長孔２００を有している。
【００２９】
スリーブは、より大きい直径、例えば、９ｍｍを有していてもよい。９ｍｍのより大きい直径を用いる理由は、特に軸方向に安定したスクリューの場合、このようなより大きい直径は、工具先端とスクリュー頭部との間の接触領域を増大させ、これによって、オペレータの触覚が改良されることにある。これは、重要である。何故なら、オペレータは、いつ回転を停止させるか（いつスクリュー頭部が骨面に当たるか）を知り、かつ感知する必要があるからである。スリーブの直径がより大きい場合、スリーブ遠位端は、スクリュー頭部の直径よりも１−２ｍｍ大きくなる。
【００３０】
以上、本発明を特定の実施形態を参照して説明してきたが、これらの実施形態は、本発明の原理及び用途の単なる例示にすぎないことを理解されたい。従って、例示的実施形態に対して多くの修正がなされうること、及び添付の請求項によって規定される本発明の精神及び範囲から逸脱することなく、他の構成が考案されうることを理解されたい。
【図１】
2018118037.tif 000003
【図１Ａ】
2018118037.tif 000004
【図２】
2018118037.tif 000005
【図２Ａ】
2018118037.tif 000006
【図３】
2018118037.tif 000007
【図４】
2018118037.tif 000008
【図５】
2018118037.tif 000009
【図６】
2018118037.tif 000010
【図７】
2018118037.tif 000011
【図８Ａ．８Ｂ】
2018118037.tif 000012
【外国語明細書】
2018118037.tif 000013
2018118037.tif 000014
2018118037.tif 000015
2018118037.tif 000016
2018118037.tif 000017
2018118037.tif 000018
2018118037.tif 000019
2018118037.tif 000020
2018118037.tif 000021
2018118037.tif 000022
2018118037.tif 000023
2018118037.tif 000024
2018118037.tif 000025
2018118037.tif 000026
2018118037.tif 000027
2018118037.tif 000028
2018118037.tif 000029
2018118037.tif 000030
2018118037.tif 000031
2018118037.tif 000032
2018118037.tif 000033